(57)【要約】      （修正有）【課題】調理の際に手元に置いて様々な調理用道具をまとめて支持でき、使用後は折り畳んで保管可能であるとともに鏡として使用できる調理用具スタンドを提供する。【解決手段】第１の支持アーム３と第２の支持アーム９は、トレー２内に収容可能であるとともに、使用時にトレー２から引き出すことで、鍋蓋、菜箸、お玉等の様々な調理用具の支持部材となる。また、これらの支持アーム３，９の垂直２辺各々を水平に橋渡しする、その両端がＬ字状になった調理用具支持バー６ｂを取り付けることで、支持している調理用具の落下等を防止する。【選択図】図４
0003152668.tif 000002
【実用新案登録請求の範囲】
【請求項１】
調理用具を立て掛けて支持可能な支持部材と、
前記支持部材を立設かつ収容可能なトレー部とを備え、
前記支持部材は、所定径の金属棒材を三角形状に組んでなる２個の支持アームの頂点部分を相互に回動可能に連結するとともに、その支持アームの底辺部を前記トレー部に付設することで立設され、前記２個の支持アームを互いに密接する状態に折り畳むことで前記トレー部内に収容可能であることを特徴とする調理用具スタンド。
【請求項２】
前記２個の支持アームが所定の角度で傾いた状態で前記トレー部に立設されることを特徴とする請求項１に記載の調理用具スタンド。
【請求項３】
前記２個の支持アームの一方の支持アームの底辺部が前記トレー部に回動可能に取り付けられ、他方の支持アームの底辺部は遊動可能な状態になっていることを特徴とする請求項２に記載の調理用具スタンド。
【請求項４】
前記２個の支持アームそれぞれに、その支持アームの垂直２辺に横架するバー部材を取り付けたことを特徴とする請求項３に記載の調理用具スタンド。
【請求項５】
前記トレー部は凹状の形状を有し、その裏側の面に対し鏡面加工が施されていることを特徴とする請求項１〜４のいずれかに記載の調理用具スタンド。
【考案の詳細な説明】
【技術分野】
【０００１】
本考案は、例えば、鍋蓋や菜箸等を保持するための調理用具スタンドであり、特に調理中に手元に置いて調理用具のスタンドとして使用でき、使用後は折り畳んで収容できるとともに鏡として利用可能な調理用具スタンドに関するものである。
【背景技術】
【０００２】
食材を調理する際には、様々な調理用具を使用する必要があり、調理を手際よく、かつ効率的に行うためには、それらの用具を、調理人が手を伸ばして簡単に取ることのできる場所に配置することが極めて重要となる。一般家庭の台所や厨房で調理をする場合、調理用具の散乱を防止するとともに、個々の用具を必要な時に容易に取り出し、迅速に元の場所へ戻すことができるようにするため、従来より、調理用具の保持具として様々なものが提案されている。
【０００３】
例えば、特許文献１は、さい箸やフライ返し等の複数の調理用具をまとめて効率よく収納できるようにすることで、それぞれの調理用具が互いに絡み合わず、かつ省スペース化できるようにした調理用具のスタンドを開示している。また、特許文献２には、円盤状の回転自在の保持板を設け、その周辺部に多数のスリットを形成し、そのスリットに調理用具を挟み吊りして収容できるようにした調理道具用の保持具が記載されている。
【先行技術文献】
【特許文献】
【０００４】
【特許文献１】特開２００７−３３０５７５号公報
【特許文献２】実開平２−７８１５２号公報
【考案の概要】
【考案が解決しようとする課題】
【０００５】
台所や厨房で調理をする場合、調理用具として、例えば、鍋や菜箸、しゃもじ、お玉等を流し台やガス台等の上に置いて使用する。特に煮物を作る場合には、煮炊きをしている間、絶えず鍋蓋を開けて、調理の進行状況を確認する必要があるため、鍋蓋の置き場所の確保に苦労することが多々ある。とりわけ料理に使用中の鍋蓋には水滴が多数付着しているため、その置き場所に困ることがある。また、使用中の用具には食物や汁等が付着しており、そのまま元の場所に戻すこともできないため、鍋の回りに放置することもある。
【０００６】
そこで、上述した特許文献１に記載の調理用具スタンドの使用も考えられるが、この種のスタンドは、さい箸やフライ返し等の小物は載置できても、鍋蓋のように大きく、しかも、土鍋の蓋のように重量のある用具を置くことはできない。また、特許文献２に記載の調理道具用の保持具は、基本的に使用後の洗浄した用具を吊るして収容する方法をとっているため、調理の際、手元に置いて使用できるものではなく、鍋蓋を載置することもできないという問題がある。
【０００７】
本考案は、上述した課題に鑑みなされたものであり、その目的とするところは、調理中に使用する様々な調理用道具をまとめて手元に置くことができ、使用後は折り畳んで保管可能であるとともに、鏡としても使用できる調理用具スタンドを提供することである。
【課題を解決するための手段】
【０００８】
かかる目的を達成し、上述した課題を解決する一手段として、例えば、以下の構成を備える。すなわち、本考案に係る調理用具スタンドは、調理用具を立て掛けて支持可能な支持部材と、前記支持部材を立設かつ収容可能なトレー部とを備え、前記支持部材は、所定径の金属棒材を三角形状に組んでなる２個の支持アームの頂点部分を相互に回動可能に連結するとともに、その支持アームの底辺部を前記トレー部に付設することで立設され、前記２個の支持アームを互いに密接する状態に折り畳むことで前記トレー部内に収容可能であることを特徴とする。
例えば、前記２個の支持アームが所定の角度で傾いた状態で前記トレー部に立設されることを特徴とする。また、例えば、前記２個の支持アームの一方の支持アームの底辺部が前記トレー部に回動可能に取り付けられ、他方の支持アームの底辺部は遊動可能な状態になっていることを特徴とする。
さらに、本考案に係る調理用具スタンドは、前記２個の支持アームそれぞれに、その支持アームの垂直２辺に横架するバー部材を取り付けたことを特徴とする。また、前記トレー部は凹状の形状を有しており、その裏側の面に対して鏡面加工が施されていることを特徴とする。
【考案の効果】
【０００９】
本考案の調理用具スタンドは、調理の際に手元に置いて鍋蓋、菜箸、お玉等の様々な調理用具を立て掛けて支持でき、これらの調理用具の散逸を防止するとともに、調理用具を良好な衛生状態に維持できる。また、調理時以外における鏡としての用途により、利便性を向上できる。
【図面の簡単な説明】
【００１０】
【図１】本考案の実施の形態例に係る調理用具スタンドの外観構成を示す図である。
【図２】本考案の実施の形態例に係る調理用具スタンドを壁掛け鏡として使用する例を示す図である。
【図３】本考案の実施の形態例に係る調理用具スタンドの使用時における外観斜視図である。
【図４】本考案の実施の形態例に係る調理用具スタンドに調理用具を載置した状態の一例を示す外観図である。
【図５】変形例に係る調理用具スタンドの外観構成を示す図である。
【考案を実施するための形態】
【００１１】
以下、添付図面を参照して、本考案に係る実施の形態例を詳細に説明する。図１〜図３は、本考案の実施の形態例に係る調理用具スタンドの外観構成であり、図１は、調理用具スタンドを使用しないときや保管の際、後述するトレー内に支持アーム等を折り畳んだときの状態を示している。図１（ａ）は、折り畳み状態にある調理用具スタンドの平面図、図１（ｂ）は、折り畳み状態のスタンドを部分的に透視して示す側面図である。また、図２は、調理用具スタンドの底面図であり、鏡として使用している状態の一例を示している。図３は、本実施の形態例に係る調理用具スタンドの使用時における外観斜視図であり、支持アーム等を引き出して使用可能な状態にしたときの様子を示している。この調理用具スタンドは、家庭の台所や厨房で調理人が手元に置いて使用でき、かつ持ち運び可能な大きさを有するとともに、使用時に支持アーム等を引き出して固定し、使用しないときには、それらを折り畳むことができる構造になっている。
【００１２】
図１〜図３に示すように、本実施の形態例に係る調理用具スタンド１の基底部分には、所定面積の平面部を有し、その４辺周縁部が所定高の側壁４で囲まれた凹状（皿状）のトレー２が配され、トレー２の上に調理用具を支持するための第１の支持アーム３、第２の支持アーム９等を備える。第１の支持アーム３は、全体が逆Ｖ字状で、例えば、所定径のステンレス製の金属棒からなり、その端部３ａ，３ｂがＪ字状に折り曲げられている。また、トレー２の側壁４の対向する面の所定位置には、水平方向に貫通孔５ａ，５ｂが穿設され、これらの貫通孔５ａ，５ｂそれぞれに第１の支持アーム３の端部３ａ，３ｂが挿通され、回動可能に取り付けられている。
【００１３】
第２の支持アーム９は、全体が三角形状であり、例えば、所定径のステンレス製の金属棒からなる。第１の支持アーム３と第２の支持アーム９の頂点部分は、支持アーム３，９の径とほぼ同じ径の２つの挿通孔が設けられた、例えば、可撓性のクッション材等からなる継手７を介して回動可能に接続されている。このような構造にすることで、使用時における支持アーム３，９のトレー２からの引き出しや所定位置への載置、および不使用時における折り畳みが容易になる。なお、貫通孔５ａ，５ｂは、調理用具スタンド１を使用中にトレー２に溜まった水等が、これらの孔から容易に漏出しないようにするため、トレー２の底面から十分高い位置に設けられている。
【００１４】
調理用具スタンド１の使用開始に際し、まず、図１（ｂ）に示すようにトレー２の凹状部に収められた第１の支持アーム３と第２の支持アーム９を矢印方向へ引き出す。これらの支持アーム３，９は、上述した継手７によって回動可能に接続されているため、貫通孔５ａ，５ｂに挿通されている第１の支持アーム３の端部を支持軸として回転させながら引き起すことができる。そして、支持アーム３，９を引き起した後、第１の支持アーム３を保持したまま、第２の支持アーム９の底辺部分９ａ（図１（ａ）に示す三角形状アームの底辺部）を第１の支持アーム３から引き離しながら、図３に示すようにトレー２の上面端部（貫通孔５ａ，５ｂが配された側と逆の端部側）に立設する。第２の支持アーム９の底辺部分９ａには、振動吸収性で摩擦抵抗の高い材料からなるリング状部材８ａ，８ｂが装着されている。よって、図３に示すように所定の角度を保って立設された第２の支持アーム９の底辺部分は、停止壁（ストッパー）として機能するトレー２の側壁４によって受け止められるため、第２の支持アーム９が振動等によりトレー上を不用意に移動することがない。また、リング状部材８ａ，８ｂの緩衝機能により、第２の支持アーム９を立設する際、トレー２の上面を損傷させることもない。
【００１５】
第１の支持アーム３の垂直部分（逆Ｖ字状の２辺）と、第２の支持アーム９の垂直部分（三角形状アームの垂直２辺）それぞれの中間部より高い位置には、これらの２辺を水平に橋渡しする構造の調理用具支持バー６ａ，６ｂが、例えば、溶接等により取り付けられている。また、これらの支持バー６ａ，６ｂの両端部は、調理用具スタンド１の使用時に立て掛けた調理用具が倒れないようにするため、Ｌ字状に折り曲げられている。なお、支持バー６ａ，６ｂは、第１の支持アーム３と第２の支持アーム９の補強をも兼ねた構成部品であり、これら支持バー６ａ，６ｂにより、支持アーム３，９の機械的強度が増すことになる。
【００１６】
さらに、本実施の形態例に係る調理用具スタンド１の裏面（トレーの裏側）には、図１（ｂ）および図２に示すように鏡面１５が形成され、側壁４の外側の四方縁部には、例えば、保護用のクッション材からなる額縁状の枠部材１２が配されている。ここでは、枠部材１２の上面１２ａが鏡面１５よりも、わずかに下方側に延出するように配することで、調理用具スタンド１の使用時において鏡面１５に傷等が付くのを防止し、同時にスタンドそのものの滑り止めとしての機能を持たせている。トレー２は、例えば、ステンレス鋼板をプレス加工して凹状のトレーに一体成形する。ステンレスは光反射率が高いため、そのままでも鏡として使用できるが、さらに反射率を高めるため、例えば、バフ研磨加工等によって鏡面１５を磨いたり、あるいは光反射性の強いメッキを施してもよい。第１の支持アーム３、第２の支持アーム９、支持バー６ａ，６ｂについては、例えば、ステンレス加工された所定径の金属棒で構成して、一定の強度を確保する。
【００１７】
支持アーム３，９や支持バー６ａ，６ｂは、ステンレス製の金属棒に限定されず、例えば、金属棒の表面にニッケルメッキ処理を施したものを使用してもよい。また、後述するように調理用具スタンド１を鏡として使用する場合の美観・体裁を考慮して、例えば、枠部材１２に模様を付す等、意匠的効果を得るためのデザインを施してもよい。なお、トレー２は、ＡＢＳやポリスチレン等の樹脂製、あるいは表面を防水加工した木製とし、その裏側に、鏡面加工した板金を貼り付けて鏡として使用できるようにしてもよい。
【００１８】
次に、本実施の形態例に係る調理用具スタンドの使用方法について説明する。図４は、本実施の形態例に係る調理用具スタンドに調理用具を載置した状態の一例を示す外観図である。調理用具スタンド１は、図３に示すように第１の支持アーム３と第２の支持アーム９とを、継手７を介して相互に接続した状態でトレー２上に起立させ、支持バー６ａ，６ｂとともに調理用具を立て掛けるためのスタンドとして使用する。実際の使用時には、図４に例示するように鍋蓋３１を蓋受け用の支持アームに沿わせて斜めにして立て掛け、菜箸３３とお玉３５を支持バー６ａに立て掛けている。鍋蓋には、様々な大きさ、形状のものがあるが、家庭等で広く使用されている標準的なものに合わせて、トレー２の大きさと支持アーム３，９の各辺の長さを設定するとともに、立て掛けた鍋蓋を支持アームの垂直２辺とトレー面の少なくとも３点で支持できるため、安定した載置が可能となる。
【００１９】
第２の支持アーム９は、第１の支持アーム３とは違い、その端部がトレー２に固定されていないため、印加する荷重の大きさによっては支持アームがトレー上を移動する可能性がある。そこで、載置する一般的な鍋蓋の重量を考慮した場合、図４に示すように、端部がトレーに挿通して固定されている第１の支持アーム３側に鍋蓋を立て掛けるのが、安全性等の観点から望ましい使用形態となる。一方、落し蓋等の軽量の鍋蓋は、第２の支持アーム９に載置できる。
【００２０】
上述したように、支持バー６ａ，６ｂの両端部はＬ字状に折り曲げられているため、立て掛けた調理用具が倒れたり、滑り落ちることがないようになっている。支持バー６ａ，６ｂには、これらの調理用具以外にも、例えば、フライ返しやへら、しゃもじ等の調理用具を載置できる。トレー２上の空き領域に調味料を置くことも可能である。また、調理用具スタンド１の裏面が鏡面加工されているため、スタンドとして使用しないときには、支持アーム３，９を折り畳まない状態で、そのまま横方向に調理用具スタンド１を倒すことで、これらの支持アームを衝立てとして利用した置き鏡として使用でき、支持アーム３，９を折り畳んだ状態で調理用具スタンド１を壁等に寄り掛けることによっても、置き鏡としての用途がある。
【００２１】
さらには、図２に示すように、調理用具スタンド１の側壁４を貫通して外側に突出した、第１の支持アーム３の端部３ａ，３ｂ間に適当な長さの紐１９を渡し、その紐１９を台所の壁等に設けられたフック２１に掛けて、鏡面１５が見える状態にすることで、支持アーム３，９を折り畳んだ状態の調理用具スタンド１を壁掛け鏡として使用することもできる。
【００２２】
このように、本考案の実施の形態例に係る調理用具スタンドは、凹状のトレー内に収容可能であるとともに、トレーから引き出し、立設することで調理用具の支持部材となる第１の支持アームと第２の支持アームとを備え、これらの支持アームの垂直２辺各々を水平に橋渡しする支持バーを取り付けた構造にすることで、調理の際に手元に置いて、鍋蓋、菜箸、お玉等の様々な調理用具をまとめて立て掛けて使用可能なスタンドを提供できる。その結果、調理の際に調理用具の置き場所の確保に困ることがなく、しかも調理用具が散逸することもないため、台所の省スペース化ができ、円滑かつ迅速に調理を行える。
【００２３】
また、本実施の形態例に係る調理用具スタンドは、支持アームの真下に凹状のトレーを設けることで、料理に使用中の鍋蓋等に付着した水滴等を直接受けることができ、使用後は、トレー全体を水洗いすることで、常に衛生状態を良好に保ったまま、調理用具のスタンドとして使用可能である。さらには、トレーの裏面を鏡面として使用することで、調理用具スタンドとして使用しないときには鏡としての用途を提供できる。これにより、主婦等が台所で調理をしているときに来訪客があっても、その場で身だしなみを整えてから応対できるという利点がある。
【００２４】
＜変形例＞
本考案に係る調理用具スタンドは、上記の実施の形態例に限定されず、種々の変形が可能である。図５は、変形例に係る調理用具スタンドの外観構成であり、調理用具スタンドを使用していないとき等において、アーム等を折り畳んだ状態を示している。図５（ａ）は、折り畳んだときの平面図、図５（ｂ）は、そのときの調理用具スタンドを部分的に透視して示す側面図である。なお、底面図や使用時における外観斜視図等については、上記の実施の形態例に係る調理用具スタンドと同様であるため、それらの図示を省略する。また、本変形例において、上記実施の形態例に係る調理用具スタンドと同じ構成要素には同一の参照符号を付して、ここでは、それらの説明を省略する。
【００２５】
本変形例に係る調理用具スタンドは、上述した実施の形態例に係る調理用具スタンドと基本的な構造は同じであるが、第１の支持アーム３の固定方法が異なる。すなわち、図５に示す調理用具スタンド４１において、第１の支持アーム３の底辺部分（図５（ａ）に示す三角状アームの底辺部）３ａの両端部が、トレー２の上面端部に設けた、アームの径とほぼ同じ径の連通孔を有する２個のブラケット４５ａ，４５ｂに回動可能に挿通され、トレー２上に固定されている。これらのブラケット４５ａ，４５ｂは、例えば、トレーとの間に隙間ができて水等が入り込まないようにするため、トレー２の上面に溶接等により密着されている。
【００２６】
使用時には、第１の支持アーム３と第２の支持アーム９をトレー２から引き出し、第１の支持アーム３を保持しながら、継手７を中心軸として第２の支持アーム９を回転させ、そのまま、リング状部材８ａ，８ｂが装着された第２の支持アーム９の底辺部分をトレー２の上面端部に置くことで、調理用具を立て掛けるためのスタンドとして使用できる状態にすることができる。一方、使用後は、これらの支持アーム３，９を折り畳んでトレー２内に収容する。
【符号の説明】
【００２７】
１    調理用具スタンド
２    トレー
３    第１の支持アーム
３ａ，３ｂ    アーム端部
４    側壁
５ａ，５ｂ    貫通孔
６ａ，６ｂ    調理用具支持バー
８ａ，８ｂ    リング状部材
９    第２の支持アーム
１２    枠部材
１５    鏡面
３１    鍋蓋
３３    菜箸
３５    お玉
４５ａ，４５ｂ    ブラケット
【図１】
0003152668.tif 000003
【図２】
0003152668.tif 000004
【図３】
0003152668.tif 000005
【図４】
0003152668.tif 000006
【図５】
0003152668.tif 000007